(57)【要約】      （修正有）【課題】柔軟性を損なわずに、重ねたときの嵩が小さい家庭用衛生紙を提供する。【解決手段】主原料を古紙とし、ヤンキードライヤ２を用いてクレープ処理がなされた方形の家庭用衛生紙であって、１６ｇ／ｍ２以上３０ｇ／ｍ２以下の坪量であるとともに、クレープ率が１０％以上２０％以下であり、１０００枚重ねたときの嵩が、４０ｃｍ以下である構成とした。【選択図】図１
0003209798.tif 000002
【実用新案登録請求の範囲】
【請求項１】
主原料を古紙とし、ヤンキードライヤを用いてクレープ処理がなされた方形の家庭用衛生紙であって、
１６ｇ／ｍ２以上３０ｇ／ｍ２以下の坪量であるとともに、クレープ率が１０％以上２０％以下であり、
１０００枚重ねたときの嵩が、４０ｃｍ以下であることを特徴とする家庭用衛生紙。
【請求項２】
さらに、抗菌剤を含有させたことを特徴とする請求項１に記載の家庭用衛生紙。
【考案の詳細な説明】
【技術分野】
【０００１】
本考案は、主原料を古紙とする方形の家庭用衛生紙に関するものである。
【背景技術】
【０００２】
この種の家庭用衛生紙は、ちり紙とも呼ばれ、例えば特許文献１に示すようにヤンキードライヤを用いてドライクレープ処理がなされ、柔軟性を付与されている。
【０００３】
しかし、クレープによって、重ねたときに嵩高となるという問題があった。
【先行技術文献】
【特許文献】
【０００４】
【特許文献１】特開２００１−６４８９７号公報
【考案の概要】
【考案が解決しようとする課題】
【０００５】
本考案は、このような事情に鑑みてなされたものであり、柔軟性を損なわずに、重ねたときの嵩が小さい家庭用衛生紙を提供することを目的としている。
【課題を解決するための手段】
【０００６】
すなわち、本考案は、主原料を古紙とし、ヤンキードライヤを用いてクレープ処理がなされた方形の家庭用衛生紙であって、
１６ｇ／ｍ２以上３０ｇ／ｍ２以下の坪量であるとともに、クレープ率が１０％以上２０％以下であり、
１０００枚重ねたときの嵩が、４０ｃｍ以下であることを特徴としたものである。
【０００７】
本明細書におけるクレープ率について、図１を参照して説明する。クレープを施す場合、巻取りロール４の周速度（Ｖ２）に対し、ヤンキードライヤ２の周速度（Ｖ１）の方が常に大きい状態となっている。その速度の差（周速差）が大きいほどクレープ率が大きくなる。機械設定上の理論クレープ率Ｃ０（％）は、速度Ｖ１とＶ２の速度差より以下の式により求まる。Ｃ０（％）＝（Ｖ１−Ｖ２）／Ｖ２。例えば、Ｖ１が１２０ｍ／ｍｉｎ、Ｖ２が１００ｍ／ｍｉｎの場合には理論クレープ率Ｃ０（％）は２０％になる。本明細書におけるクレープ率とは、上記計算式（理論値）によるものとする。
【０００８】
また、重ねたとは、製造時にヤンキードライヤに接していた面を上向き又は下向きに揃え、かつ、製造時の搬送方向が同じ向きになるように積み上げた状態を指すものとする。
【０００９】
また、本考案の家庭用衛生紙は、抗菌剤を含有させたものとすることもできる。
【考案の効果】
【００１０】
従来のよく見られる家庭用衛生紙は、坪量１６ｇ／ｍ２以上３０ｇ／ｍ２以下、クレープ率３５％以上４５％以下、１０００枚重ねたときの嵩が５０ｃｍ程度であったところ、坪量を１６ｇ／ｍ２以上３０ｇ／ｍ２以下とするとともに、クレープ率を１０％以上２０％以下とし、１０００枚重ねたときの嵩が４０ｃｍ以下となるようにクレープを細かくすることで、柔軟性や吸水性を損なわずに重ねたときの嵩を大幅に減らすことができる。
【図面の簡単な説明】
【００１１】
【図１】実施形態に係る家庭用衛生紙を製造する装置の一例を示す模式図である。
【図２】従来の家庭用衛生紙と実施形態に係る家庭用衛生紙の嵩を示す参考写真である。
【考案を実施するための形態】
【００１２】
本考案である家庭用衛生紙を具現化した実施形態について説明する。本考案の家庭用衛生紙は、主原料を古紙とする方形の家庭用衛生紙であり、水に浸すと繊維がほぐれ分解する水洗トイレでも使用できるものである。１枚の大きさは、一般に市販されている１６０ｍｍ×２２０ｍｍであり、坪量は、１６ｇ／ｍ２以上３０ｇ／ｍ２以下の範囲内である２３ｇである。
【００１３】
また、本考案の家庭用衛生紙は、ヤンキードライヤを用いてクレープ処理がなされている。クレープ率は、１０％以上２０％以下の範囲内である１３％である。また、１０００枚重ねたときの嵩は、４０ｃｍ以下の３０ｃｍである。このような構成とすることで、柔軟性と小さい嵩を両立させたものになっている。  
【００１４】
以下、本考案である家庭用衛生紙を製造する方法について、図１を用いて簡単に説明する。図１は、家庭用衛生紙を製造する装置（抄紙機）の一例を示す模式図である。なお、周知の技術に関しては、詳細な説明を省略する。
【００１５】
図１に示すように、家庭用衛生紙は、加熱されたヤンキードライヤ２の表面に紙体Ｐ（湿紙）を押しつけ付着させ、一定の乾燥を経た後、クレーピングドクター３にて掻き取ることにより製造される。
【００１６】
紙体Ｐは、ヤンキードライヤ２の平滑化された表面に張り付いて乾燥される過程で、潜在的なクレープ形成力を蓄え、クレーピングドクター３によってヤンキードライヤ２表面から掻き取られた後に、瞬時的に屈曲状のクレープを形成する。
【００１７】
クレープの細かさは、ヤンキードライヤ２の温度、クレーピングドクター３の設定角度、紙体Ｐの水分、薬品添加量などの各種条件によって変化する。例えば、ヤンキードライヤ２に対する紙体Ｐの付着性（密着性）が強いと細かなクレープが形成され、付着性が弱いと粗いクレープが形成されることがわかっている。
【００１８】
一般にクレープ率が高いほど吸湿性や柔軟性が増すが、クレープの高さが同じであれば、クレープが細かいほどクレープ率は増す。逆にいえば同じクレープ率であれば、クレープが細かいほどクレープの高さを抑えることができる。すなわち嵩を小さくすることができる。したがって、クレープはできるだけ細かいほうがよい。また、クレープが細かいと肌触りがなめらかになり、使用感も向上する。
【００１９】
クレープを細かくするには、次のことが有効である。フェルトパート１のフェルトに平滑なものを選択する。ヤンキードライヤ２への紙体Ｐ（湿紙）のタッチ圧を上げる。ヤンキードライヤ２の温度を下げる。ヤンキードライヤ２の接線に対するクレーピングドクター３の角度を小さくする。
【００２０】
ただし、良質な家庭用衛生紙を製造するには、適切な範囲があり、また、原料である古紙の状態やその他の条件によっても異なるため、適宜選択調整すべきものである。
【００２１】
すなわち、本考案である家庭用衛生紙は、次のように製造することができる。坪量は、紙体Ｐの密度と紙体Ｐの厚さとクレープ率で決まるため、坪量が１６ｇ／ｍ２以上３０ｇ／ｍ２以下、クレープ率が１０％以上２０％以下となるような紙体Ｐの厚さを求め、プレス圧を決定する。そして、フェルトに平滑なものを選択し、できるだけクレープが細かくなるように、ヤンキードライヤ２への紙体Ｐ（湿紙）のタッチ圧、ヤンキードライヤ２の温度、クレーピングドクター３の角度を調整する。サンプルを製造し、１０００枚重ねたときの嵩が、４０ｃｍ以下、クレープ率が１０％以上２０％以下となるように調整を繰り返す。
【００２２】
本考案の家庭用衛生紙は、従来の家庭用衛生紙より紙体Ｐの厚さが増し、クレープ率も低いが、クレープを細かくしているため、柔軟性を損なわず、使用感も優れたものである。また、坪量が同等であるため吸水性も損なわない。さらに、図２の参考写真に示すように、重ねたときの嵩を大幅に減少させることができる。
【００２３】
本考案の家庭用衛生紙には、抗菌剤を含有させることもできる。抗菌剤の種類と量は、身体に与える影響を考慮して適宜選択すべきものであるが、例えば、第四級アンモニウム塩やトリクロサンを用いることができる。抗菌剤は、抄紙工程の前のスラリー状のパルプ原液に添加（内添）すると好適である。
【００２４】
上述した内容は、あくまでも本考案の一実施形態に関するものであって、本考案が上記内容に限定されることを意味するものではない。また、本実施形態で記載されている数値（寸法）や材料は、これに限られるものでなく、設計的な事項である。
【符号の説明】
【００２５】
Ｐ  紙体
１  フェルトパート
２  ヤンキードライヤ
３  クレーピングドクター
４  巻取りロール
【図１】
0003209798.tif 000003
【図２】
0003209798.tif 000004